(57)【要約】【課題】  納豆上面にフィルムを載置した納豆入り納豆容器において、該フィルムを取り除く際に生じる納豆粘液の無数の引き糸の後始末を従来に比べ格段に簡便に行うことができる納豆入り納豆容器を提供する。【解決手段】  先端部に所要の回転摩擦力を持つ小棒体を該納豆容器に予め収納又は装着しておき、食する直前に、該小棒体を該フィルムの略中央に垂直にあてがい、押圧しつつ親指と人指し指で軸を中心に回転させ、該フィルムを該中央から順次、該小棒体先端部に渦巻き状に巻取る。その後、該小棒体を該フィルムごと納豆上面から引き上げると、無数の納豆の引き糸はその時既に該先端部頭頂真下の位置から垂下する一本の引き糸に収斂されている。【選択図】    図２
2006225034.tif 000002
【特許請求の範囲】
【請求項１】
略凹状に形成された納豆入りの容器本体と、前記納豆上面を覆う被覆フィルムと、該容器開口部を開閉自在に閉塞する蓋体とからなる納豆収納容器の内部空間に、径が略２〜８ｍｍ、長さが該納豆収納容器に納まる範囲内寸法であり、かつ、少なくとも一端の切り口に凸部、小突起、又は凹凸が１つ以上あり、又は該一端の切り口から他端方向へ略７ｍｍ以内の切り口隣接先端部の表面に凸部、小突起、又は長軸方向に形成された細長い隆起が１つ以上あり、又は該一端切り口隣接先端部が柱体又は略錐体であって該柱体又は略錐体の横断面に略９０度以下の角が一箇所以上あり、以上の如く形成することにより先端部の回転摩擦力を大きくした棒体又は管形体であって、該納豆を食する直前に、前記納豆上面を覆う被覆フィルムの略中央に前記棒体又は管形体の該一端先端部を垂直に当てがい、少し押圧しつつ前記棒体又は管形体を人指し指と親指を使って長軸を中心に回転させ、その際の、該一端先端部表面と該被覆フィルムとの間に生じる回転摩擦により、前記棒体又は管形体に前記被覆フィルムを渦巻き状に巻き取る被覆フィルム巻取具を収納したことを特徴とする納豆入り納豆収納容器。
【請求項２】
略凹状に形成された納豆入りの容器本体と、前記納豆上面を覆う被覆フィルムと、該容器開口部を開閉自在に閉塞する蓋体とからなる納豆収納容器の外側表面に、請求項１記載の棒体又は管形体からなる被覆フィルム巻取具を密封包装して又は密封状態にして装着したことを特徴とする納豆入り納豆収納容器。
【請求項３】
略凹状に形成された納豆入りの容器本体と、前記納豆上面を覆う被覆フィルムと、該容器開口部を開閉自在に閉塞する蓋体とからなる納豆収納容器の内部空間に、径が略２〜８ｍｍ、長さが該納豆収納容器に納まる範囲内寸法であり、かつ、少なくとも一端先端部を二股乃至四つ股に形成した、又は楕円形柱体に形成した、又は少なくとも一つ以上の斜め切り口を有する柱体に形成した棒体からなる納豆被覆フィルム巻取具を収納し、又は、前記納豆収納容器の外側表面に該被覆フィルム巻取具を密封包装して又は密封状態にして装着したことを特徴とする納豆入り納豆収納容器。
【請求項４】
肉薄の樹脂で成形された管形体のいずれか一方の先端部端縁に数ｍｍの切れ込みを少なくとも３箇所以上形成して複数の舌片を形成し、該各舌片を長軸中心線から遠ざかる方向にやや広げ、先端を開きかけた花冠状に形成した請求項１の管形体からなる被覆フィルム巻取具を容器内部空間に収納し又は容器外側表面に装着したことを特徴とする請求項１又は請求項２記載の納豆入り納豆収納容器。
【請求項５】
請求項１記載の被覆フィルム巻取具の先端部を請求項１記載の被覆フィルム上面略中央部に固着又は連結させたことを特徴とする請求項１記載の納豆入り納豆収納容器。
【発明の詳細な説明】
【技術分野】
【０００１】  本発明は、被覆フィルム巻取具を容器に収納又は装着した納豆入り納豆収納容器に関する。
【背景技術】
【０００２】  納豆収納容器において、納豆上面を覆う被覆フィルムを指先を汚さず容易に取り除くことを目的とした先行技術としては、特開２０００−３１３４９１がある。その概要は、容器本体上部に中蓋を嵌合させ、かつ該中蓋の頂板前後又は左右方向中間に幅狭の透孔を穿設し、該透孔下方のフィルム部分を引き上げて透孔から外方へ突出させ、そのフィルム部分を引き上げることで、中蓋の下方からフィルムを引き出すことができるように形成したものである。
被覆フィルムを納豆上面から取り除く方法で一般に広く行われている方法は、フィルムの上面中央を指で摘んで上方へ引き上げる方法である。この方法でやると指先を汚すことはないが、無数の粘液の引き糸が生じるため、その粘着性のある引き糸の後処理に困らされる。しかしながら、この引き糸の後処理を容易にするための技術は前掲の先行技術以外に見当たらない。
【発明の開示】
【発明が解決しようとする課題】
【０００３】  本発明は、納豆上面にフィルムを載置した納豆入り納豆収納容器において、該フィルムを取り去る際に生じる納豆粘液の無数の引き糸の後始末を、従来に比べ格段に簡便に行うことができる納豆入り納豆収納容器を提供する。
【課題を解決するための手段】
【０００４】  粘着性の引き糸の後処理で一番に困る点は、フィルムを引き上げたときに納豆粘液の引き糸が無数に生じることである。したがって、この無数の引き糸を一本に収斂させることができればその後処理は格段に簡便になる。
本発明の本質は、納豆収納容器に収納又は装着された安価で簡単な器具を使うことにより、この無数の納豆粘液の引き糸を一本に収斂させ、指先を汚さず、かつ引き糸の後処理を従前より格段に簡便にする点に存する。【０００５】  また本発明の原理は、適切な太さと先端部に適切な回転摩擦力を生じる棒体又は管形体の先端部を納豆上面を覆う被覆フィルムの略中央部に垂直に当て、該フィルムの上から押圧しつつ棒体又は管形体を人指し指と親指で長軸を中心に回転させるとき、該フィルムは棒軸の周りから順に棒軸先端部に渦を巻くように巻き取られ、最終的には小さいバラの花冠に似た形に折り畳まれる。同時にフィルム下面に付着していた無数の引き糸もまた該先端部に巻き取られてしまうため、該先端部を引き上げた時は既に引き糸は一本に収斂されているという原理を応用したものである。したがってその後は、その一本の引き糸の後始末だけを行えばよく、引き糸の後処理が格段に簡便になるのである。【０００６】  また、該被覆フィルム巻取具の基材である棒体の素材は、樹脂、木材、紙等いずれでもよい。管形体の場合はプラスチックが適しており、やや肉厚のストローのような素材が適している。紙の場合は綿棒の軸棒のような素材がよい。【０００７】  請求項１記載の切り口又は切り口隣接先端部表面の凸部、小突起は非常に小さいものでよく、例えば表面高０．５ｍｍ〜１．０ｍｍの高さがあれば十分である。【０００８】  請求項１記載の柱体又は略錐体の横断面の形状としては、正方形、長方形であれば十分である。【０００９】  該被覆フィルム巻取具を納豆入り納豆収納容器に収納する方法としては、芥子等調味料のパックと共に納豆上面を覆う被覆フィルムの上に載置するか、蓋体の裏面に取り付けるなどが考えられる。また、請求項５に記載されるように、該フィルム中央部に固着又は連結する方法も考えられる。また、容器外側表面に装着する場合は、該巻取具を密封包装して容器蓋上面又は側面に糊着すればよい。
【発明の効果】
【００１０】  納豆収納容器内の納豆上面を覆う被覆フィルムを取り除く一般的な方法は、フィルム上面中央を指で摘んで引き上げる方法である。その際、該納豆上面と該フィルム下面とが無数の納豆粘液の引き糸で連結されたまま引き上げられ、箸で切ろうとしても容易には取り除くことができず、指先に引っかかったり、切れた引き糸が空中に飛散したりすることもあり、毎回苦労するものである。
本発明の効果は、安価で簡易な器具である被覆フィルム巻取具を納豆入り納豆収納容器内部又は外表面にあらかじめ封入または装着しておくことにより、納豆を食する直前に、該巻取具を使って、該フィルムをコンパクトな花冠形に折り畳み、同時に無数の引き糸を一本に収斂させた状態でフィルムを引き上げることができるため、引き糸の後処理が格段に簡便になり、納豆を食する際のいつもながらの面倒で手数のかかる労力を軽減できる。
【発明を実施するための最良の形態】
【００１１】  図１５及び図１６に示される実施例は、請求項１、３又は４に記載される納豆入り納豆収納容器の実施例である。
蓋体２を有する容器本体１には納豆３が収納されており、該納豆の上面には被覆フィルム４が載置されている。被覆フィルム巻取具５は、調味料３２と共に該被覆フィルムの上面に収納する。
図１７に示される実施例は、被覆フィルム巻取具３６を蓋体３４の裏側に固着収納したものである。【００１２】  図１８に示される実施例は、請求項２に記載される納豆入り納豆収納容器の実施例であり、被覆フィルム巻取４１は、密封包装して容器本体側面に固着している。【００１３】  図１９に示される実施例は、請求項５に記載される納豆入り納豆収納容器の実施例である。これは、被覆フィルム巻取具４５の先端部を被覆フィルム４４の中心部に固着したものである。ただし、接着剤で固着するときは、被覆フィルムの材質は接着剤の効かないポリエチレンではなく、接着性のよい素材を使用する必要がある。【００１４】  被覆フィルム巻取具の形状等につては後述するが、まずその使用方法について説明する。
▲１▼納豆入り納豆収納容器の蓋体を開け、被覆フィルム巻取具が内部に収納されているものはそれを取り出し、また外側表面に装着してある場合はそれを取り外し、該巻取具を取り出す。（内部に収納されている調味料の袋は取り出しておく。）
以下、図１〜図４にもとずいて説明する。
▲２▼巻取具５を親指と人指し指でつまみ、そのまま被覆フィルム４の上面中心部に垂直にあてがう。（図１、図２参照）
▲３▼該巻取具先端で該フィルムを垂直に押しながら、該巻取具軸棒を親指と人指し指でゆっくり回転させる（図１、図２参照）
▲４▼該フィルムが完全に巻き取られると該フィルム４は図３に示すような花冠状になる。
▲５▼次に該巻取具を上に引き上げると該花冠状フィルムも一緒に引き上げられるが、そのときにはすでに、納豆液の無数の引き糸は該巻取具先端部頭頂の直下にあたる一点から垂下する一本の引き糸に収斂されている（図４参照）
▲６▼最後に、その一本の引き糸の後処理をして、そのまま蓋体又は他の皿等に載値する。【００１５】  次に、被覆フィルム巻取具につて説明する。
図５〜図１４に示される被覆フィルム巻取具は、請求項１、請求項３又は請求項４に記載される被覆フィルム巻取具を示す実施例の拡大斜視図である。【００１６】  図５及び図８に示される被覆フィルム巻取具は、請求項１に記載する一端の切り口に凸部、小突起、又は凹凸を有する被覆フィルム巻取具の実施例である。１０は凸部、１９は小突起である。
また、図６及び図７に示される被覆フィルム巻取具は、請求項１に記載する一端の切り口から他端方向へ略７ｍｍ以内の切り口隣接先端部の表面に凸部、小突起、又は長軸方向に形成された細長い隆起を有する被覆フィルム巻取具の実施例でる。１３は凸部又は小突起、１６は細長い隆起である。これらは何れも棒体が円柱体である場合に適している。
前記の凸部、小突起、隆起は非常に小さいものでよく、例えば略１ｍｍの高さがあれば十分である。なお、棒体の先端部が円柱の場合は、小突起１３様の小突起を持つものが最もよくフィルムを巻き取ることができる。凸部、小突起等の形は必ずしもこのような整形でなくともよく、またこれらの組み合わせでもよい。図に示される形態はほんの一例である。また、棒体の素材は、紙、木、プラスチック等どんな素材でもよい。【００１７】  棒体の切断方法については、例えば、紙棒、木棒、プラスチック棒をラジオペンチ、又はハサミ様の器具で切断した場合は、図５、図６、図８に示されるような凸部、小突起を持った切り口になり、紙棒をナイフ様の器具で一方向から切断した場合は図６に示されるような切り口になる。【００１８】  図９及び図１０に示される被覆フィルム巻取具は、請求項１に記載する柱体からなる被覆フィルム巻取具の実施例である。
図１１及び図１２に示される被覆フィルム巻取具は、請求項３に記載する、先端部を少なくとも一つ以上の斜め切り口を有する柱体に形成した棒体からなる被覆フィルム巻取具の実施例である。図１１の柱体先端部は１つの斜め切り口２５を、図１２の柱体先端部は２つの斜め切り口２７を有している。【００１９】  図１３に示される被覆フィルム巻取具は、請求項３に記載する一端先端部を二股に形成した棒体からなる被覆フィルム巻取具の実施例である。【００２０】  図１４に示される被覆フィルム巻取具は、請求項４に記載される開きかけた花冠状に形成した請求項１記載の管形体からなる被覆フィルム巻取具の実施例である。
管形体としては、やや肉厚プラスチック製のストロー状のものが適している。
【図面の簡単な説明】
【００２１】
【図１】  被覆フィルム巻取具の使用方法を示す斜視図である。
【図２】  被覆フィルム巻取具の使用方法を示す斜視図である。
【図３】  被覆フィルム巻取具の使用方法を示す斜視図である。
【図４】  被覆フィルム巻取具の使用方法を示す斜視図である。
【図５】  被覆フィルム巻取具の実施例を示す拡大斜視図である。
【図６】  被覆フィルム巻取具の実施例を示す拡大斜視図である。
【図７】  被覆フィルム巻取具の実施例を示す拡大斜視図である。
【図８】  被覆フィルム巻取具の実施例を示す拡大斜視図である。
【図９】  被覆フィルム巻取具の実施例を示す拡大斜視図である。
【図１０】  被覆フィルム巻取具の実施例を示す拡大斜視図である。
【図１１】  被覆フィルム巻取具の実施例を示す拡大斜視図である。
【図１２】  被覆フィルム巻取具の実施例を示す拡大斜視図である。
【図１３】  被覆フィルム巻取具の実施例を示す拡大斜視図である。
【図１４】  被覆フィルム巻取具の実施例を示す拡大斜視図である。
【図１５】  被覆フィルム巻取具を収納した納豆入り納豆収納容器の実施例の斜視図である。
【図１６】  被覆フィルム巻取具を収納した納豆入り納豆収納容器の実施例の縦断面図である。
【図１７】  被覆フィルム巻取具を蓋体の裏面に糊着した納豆入り納豆収納容器の斜視図である。
【図１８】  被覆フィルム巻取具を容器本体の側面に装着した納豆入り納豆収納容器の斜視図である。
【図１９】  被覆フィルム巻取具先端を被覆フィルム中央に固着した納豆入り納豆収納容器の斜視図である。
【符号の説明】
【００２１】１、３３、３８、４３  容器本体
２、３４、３９、４４  蓋体
３  納豆
４、３５、４０、４４  被覆フィルム
５、３６、４１、４５  被覆フィルム巻取具
６  被覆フィルム巻取具先端部頭頂の直下
７  一本に収斂した納豆粘液の引き糸
８、１１、１４、１７、２０
２２、２４、２６、２８、３０  被覆フィルム巻取具実施例の拡大斜視図
９、１２、１５、１８、２１、２３  切り口
２５、２７  斜め切り口
１０  凸部
１３、１９  小突起
１６  細長い隆起
２９  二股状先端部
３１  舌片
３２、３７、４２、４６  調味料の袋
【図１】
2006225034.tif 000003
【図２】
2006225034.tif 000004
【図３】
2006225034.tif 000005
【図４】
2006225034.tif 000006
【図５】
2006225034.tif 000007
【図６】
2006225034.tif 000008
【図７】
2006225034.tif 000009
【図８】
2006225034.tif 000010
【図９】
2006225034.tif 000011
【図１０】
2006225034.tif 000012
【図１１】
2006225034.tif 000013
【図１２】
2006225034.tif 000014
【図１３】
2006225034.tif 000015
【図１４】
2006225034.tif 000016
【図１５】
2006225034.tif 000017
【図１６】
2006225034.tif 000018
【図１７】
2006225034.tif 000019
【図１８】
2006225034.tif 000020
【図１９】
2006225034.tif 000021